(57)【要約】【課題】表示装置の平坦な表示面に対するホコリの付着を抑制できるようにする。【解決手段】マルチディスプレイシステム１は、前側に平坦な表示面１１を有し、表示面に沿う方向に配列された複数の表示装置２と、少なくとも複数の表示装置の配列方向の第一端において、表示装置の前後方向に空気を流す流れ発生部３と、少なくとも複数の表示装置の配列方向の第一端に設けられ、流れ発生部による前後方向への空気の流れ方向を、表示面に沿う配列方向に変更する第一の流れ方向変更部４と、を備える。【選択図】図３
2020134591.tif 000002
【特許請求の範囲】
【請求項１】
前側に平坦な表示面を有し、前記表示面に沿う方向に配列された複数の表示装置を備え、複数の前記表示装置の表示面に映像信号を表示することが可能なマルチディスプレイシステムであって、
少なくとも複数の前記表示装置の配列方向の第一端において、前記表示装置の前後方向に空気を流す流れ発生部と、
少なくとも複数の前記表示装置の配列方向の第一端に設けられ、前記流れ発生部による前記前後方向への空気の流れ方向を、前記表示面に沿う前記配列方向に変更する第一の流れ方向変更部と、
を備えるマルチディスプレイシステム。
【請求項２】
前記流れ発生部は、前記配列方向において互いに隣り合う前記表示装置の間においても、前記前後方向に空気を流し、
前記第一の流れ方向変更部は、前記配列方向において互いに隣り合う前記表示装置の間にも設けられる請求項１に記載のマルチディスプレイシステム。
【請求項３】
前記流れ発生部は、前記表示装置の後側から前側に向かう第一方向に空気を流し、
前記第一の流れ方向変更部は、
前記表示面から突出するように前記第一方向に延びるにしたがって複数の前記表示装置の配列方向の第一端から第二端に向かうように湾曲して形成され、流路断面が延長方向の基端から先端に向かうにしたがって小さくなる流路を有するノズル部と、
前記第一方向に延びる前記ノズル部の基端部を前記配列方向に貫通すると共に、前記ノズル部の流路と隔離された筒状流路部と、
を備える請求項１又は請求項２に記載のマルチディスプレイシステム。
【請求項４】
複数の前記表示装置の配列方向の第二端に設けられ、前記表示面に沿って前記配列方向に流れる空気の流れ方向を、前記前後方向に変更する第二の流れ方向変更部を備える請求項１から請求項３のいずれか一項に記載のマルチディスプレイシステム。
【請求項５】
空気が前記表示面に沿って流れる方向は、鉛直方向の上側から下側に向かう方向である請求項１から請求項４のいずれか一項に記載のマルチディスプレイシステム。
【請求項６】
前記表示面の状況に応じて前記流れ発生部の動作を制御する制御部を備える請求項１から請求項５のいずれか一項に記載のマルチディスプレイシステム。
【請求項７】
前記第一の流れ方向変更部は、前記表示装置と別個に構成され、前記表示装置に取り付けられる請求項１から請求項６のいずれか一項に記載のマルチディスプレイシステム。
【請求項８】
前記第一の流れ方向変更部は、前記表示装置と一体に設けられている請求項１から請求項６のいずれか一項に記載のマルチディスプレイシステム。
【請求項９】
前側に平坦な表示面を有する表示装置本体と、
前記表示面に沿う一方向における前記表示装置本体の第一端において、前記表示装置本体の前後方向に空気を流す流れ発生部と、
前記表示装置本体の第一端に設けられ、前記流れ発生部による前記前後方向への空気の流れ方向を、前記表示面に沿う前記一方向に変更する第一の流れ方向変更部と、
を備える表示装置。
【請求項１０】
前側に平坦な表示面を有し、前記表示面に沿う方向に配列された複数の表示装置を備え、複数の前記表示装置の表示面に映像信号を表示することが可能なマルチディスプレイシステムにおいて、前記表示面に沿う方向に空気を流す気流制御方法であって、
少なくとも複数の前記表示装置の配列方向の第一端において、前記表示装置の前後方向に空気を流すと共に、前記前後方向への空気の流れ方向を前記表示面に沿う前記配列方向に変更する気流制御方法。
【発明の詳細な説明】
【技術分野】
【０００１】
本発明は、マルチディスプレイシステム、表示装置、及び、気流制御方法に関する。
【背景技術】
【０００２】
特許文献１には、ＣＲＴ及びこれを駆動させる駆動回路をキャビネット内に収納したディスプレイ装置が開示されている。特許文献１のディスプレイ装置では、ＣＲＴや駆動回路などの熱発生源の熱によって暖められたキャビネット内の空気が、ＣＲＴの表示面の周縁部を縁取るベゼルに設けられた開口から出て、ＣＲＴの表示面に沿って上昇することで、ＣＲＴの表示面上に空気の対流を生じさせる。これにより、ホコリがＣＲＴの表示面に付着することを抑制している。
【先行技術文献】
【特許文献】
【０００３】
【特許文献１】特開平５−２０４３１８号公報
【発明の概要】
【発明が解決しようとする課題】
【０００４】
ところで、近年では、液晶ディスプレイや有機ＥＬディスプレイ等のように、表示面が平坦な表示装置がある。この種の表示装置においても、表示面へのホコリの付着を抑制することが好ましい。
【０００５】
この発明は、上述した事情に鑑みてなされたものであって、平坦な表示面に対するホコリの付着を抑制できるマルチディスプレイシステム、表示装置、及び、気流制御方法を提供することを目的とする。
【課題を解決するための手段】
【０００６】
本発明の一態様は、前側に平坦な表示面を有し、前記表示面に沿う方向に配列された複数の表示装置を備え、複数の前記表示装置の表示面に映像信号を表示することが可能なマルチディスプレイシステムであって、少なくとも複数の前記表示装置の配列方向の第一端において、前記表示装置の前後方向に空気を流す流れ発生部と、少なくとも複数の前記表示装置の配列方向の第一端に設けられ、前記流れ発生部による前記前後方向への空気の流れ方向を、前記表示面に沿う前記配列方向に変更する第一の流れ方向変更部と、を備えるマルチディスプレイシステムである。
【０００７】
本発明の一態様は、前側に平坦な表示面を有する表示装置本体と、前記表示面に沿う一方向における前記表示装置本体の第一端において、前記表示装置本体の前後方向に空気を流す流れ発生部と、前記表示装置本体の第一端に設けられ、前記流れ発生部による前記前後方向への空気の流れ方向を、前記表示面に沿う前記一方向に変更する第一の流れ方向変更部と、を備える表示装置である。
【０００８】
本発明の一態様は、前側に平坦な表示面を有し、前記表示面に沿う方向に配列された複数の表示装置を備え、複数の前記表示装置の表示面に映像信号を表示することが可能なマルチディスプレイシステムにおいて、前記表示面に沿う方向に空気を流す気流制御方法であって、少なくとも複数の前記表示装置の配列方向の第一端において、前記表示装置の前後方向に空気を流すと共に、前記前後方向への空気の流れ方向を前記表示面に沿う前記配列方向に変更する気流制御方法である。
【発明の効果】
【０００９】
本発明によれば、表示装置の平坦な表示面に対するホコリの付着を抑制できる。
【図面の簡単な説明】
【００１０】
【図１】本発明の一実施形態に係るマルチディスプレイシステムを示す正面図である。
【図２】図１のマルチディスプレイシステムの要部を示す正面図である。
【図３】図２のIII−III矢視断面図である。
【図４】図２のIV−IV矢視断面図である。
【図５】本発明の一実施形態に係るマルチディスプレイシステムの機能ブロック図である。
【図６】本発明の他の実施形態に係るマルチディスプレイシステムを示す断面図である。
【図７】本発明の他の実施形態に係る表示装置を示す断面図である。
【発明を実施するための形態】
【００１１】
以下、図１〜５を参照して本発明の一実施形態について説明する。
図１〜４に示すように、本実施形態に係るマルチディスプレイシステム１は、複数の表示装置２と、流れ発生部３と、第一の流れ方向変更部４と、を備える。また、本実施形態のマルチディスプレイシステム１は、第二の流れ方向変更部５も備える。
【００１２】
各表示装置２は、前側に平坦な表示面１１を有する。表示面１１には、各種の映像信号を表示することができる。表示面１１の周縁は、ベゼル１２によって囲まれている。各表示装置２は、図１に示すように、表示面１１側から見て矩形状に形成されている。複数の表示装置２の形状や大きさは、例えば互いに異なっていてもよいが、本実施形態では互いに等しい。表示装置２は、例えば液晶ディスプレイや有機ＥＬディスプレイ等であってよい。
【００１３】
図１〜４に示すように、複数の表示装置２は、表示面１１に沿う方向に配列されている。具体的に、複数の表示装置２は、縦横に配列されている。複数の表示装置２を配列してなるユニット１０は、表示面１１側から見て各表示装置２の形状に相似する矩形状に形成されている。図１〜４におけるＸ軸方向はユニット１０の横方向を示しており、Ｙ軸方向は表示装置２の前後方向を示している。また、Ｚ軸方向はユニット１０の縦方向を示している。
マルチディスプレイシステム１では、複数の表示装置２の表示面１１に互いに異なる映像信号を表示してもよいし、複数の表示装置２の表示面１１に一つの映像信号を表示してもよい。すなわち、複数の表示装置２の表示面１１が、一つの大きな表示面を構成してもよい。
【００１４】
図３，４に示すように、流れ発生部３は、複数の表示装置２の一方の配列方向の第一端において、表示装置２の前後方向（Ｙ軸方向）に空気を流す。また、流れ発生部３は、複数の表示装置２の一方の配列方向において互いに隣り合う表示装置２の間においても、表示装置２の前後方向に空気を流す。
本実施形態の流れ発生部３は、ユニット１０の縦方向の上端、及び、縦方向において互いに隣り合う表示装置２の間において、表示装置２の後側から前側に向かう第一方向（Ｙ軸正方向）に空気を流す。すなわち、本実施形態の流れ発生部３は、表示装置２の前後方向において表示面１１側に空気を吹き出す。図３，４における符号Ｄ１は、流れ発生部３が空気を流す第一方向を示している。
流れ発生部３が、ユニット１０の縦方向の上端や表示装置２の間において空気を流す方向は、主に表示面１１に直交する方向であるが、例えば直交する方向に対して多少傾斜していてもよい。
【００１５】
流れ発生部３の具体的な構成は任意であってよい。本実施形態の流れ発生部３は、ファン２１によって構成されている。
ファン２１は、ユニット１０の縦方向においてユニット１０の上端に隣り合わせて位置する。また、ファン２１は、ユニット１０の縦方向に隣り合う表示装置２の間にも位置する。ファン２１は、表示装置２の前後方向において、図３，４に例示するように表示装置２よりも後側（図３，４において左側）に位置してもよいし、例えば表示装置２と重なるように位置してもよい。
【００１６】
図１〜４に示すように、第一の流れ方向変更部４は、複数の表示装置２の一方の配列方向の第一端に設けられる。また、第一の流れ方向変更部４は、複数の表示装置２の一方の配列方向において互いに隣り合う表示装置２の間にも設けられる。すなわち、第一の流れ方向変更部４は、ユニット１０に対し、空気が流れ発生部３によって表示装置２の前後方向に流れる位置に設けられる。
本実施形態において、第一の流れ方向変更部４は、複数の表示装置２からなるユニット１０の縦方向の上端、及び、縦方向において互いに隣り合う表示装置２の間に設けられる。
【００１７】
各第一の流れ方向変更部４は、流れ発生部３による前後方向への空気の流れを、表示面１１に沿う一方の配列方向に変更する。本実施形態において、各第一の流れ方向変更部４は、流れ発生部３による前後方向への空気の流れを、複数の表示装置２からなるユニット１０の縦方向に変更する。具体的に、各第一の流れ方向変更部４は、流れ発生部３による第一方向への空気の流れを、表示面１１に沿って複数の表示装置２からなるユニット１０の上端（第一端）から下端（第二端）に向かう第二方向（Ｚ軸負方向）に変更する。これにより、空気が表示面１１に沿って流れる方向は、鉛直方向の上側から下側に向かう方向となる。図３，４における符号Ｄ２は、第一の流れ方向変更部４によって表示面１１に沿って空気が流れる第二方向を示している。
【００１８】
図１に示すように、各第一の流れ方向変更部４は、複数の表示装置２からなるユニット１０の横方向の一端から他端まで設けられている。これにより、各第一の流れ方向変更部４は、ユニット１０の横方向の全体にわたって、空気を第二方向に流す。
【００１９】
図２〜４に示すように、各第一の流れ方向変更部４は、ノズル部３１と、筒状流路部３２と、を備える。
ノズル部３１の内部の流路は、表示面１１から突出するように第一方向に延びるにしたがって複数の表示装置２からなるユニット１０の上端から下端に向かうように（すなわち第二方向に向かうように）湾曲して形成されている。また、ノズル部３１の流路の流路断面は、ノズル部３１の延長方向の基端から先端に向かうにしたがって小さくなる。これにより、流れ発生部３によって第一方向に流れる空気は、ノズル部３１の流路において加速された上で、ノズル部３１の先端の開口から第二方向に吹き出す。
【００２０】
第一方向と逆側（Ｚ軸正方向側）に向くノズル部３１の外面３１ａは、ノズル部３１の流路の内面に対応するように滑らかに湾曲した形状に形成されている。
ノズル部３１は、ユニット１０の横方向の一端から他端まで延びている。このため、ノズル部３１の先端の開口は、ユニット１０の横方向に延びるスリットのように形成されている。
【００２１】
筒状流路部３２は、第一方向に延びるノズル部３１の延長方向の基端部をユニット１０の縦方向（一方の配列方向）に貫通する筒状に形成され、ノズル部３１の流路と隔離される。筒状流路部３２の両端の開口は、表示装置２の前後方向において、表示面１１とノズル部３１の先端の開口との間に位置する。これにより、空気を、ノズル部３１の先端の開口よりも表示面１１に近い領域において、ノズル部３１に阻害されることなく、表示面１１に沿ってユニット１０の縦方向に流すことができる。図３，４における符号Ｄ４は、筒状流路部３２を貫通する空気の流れ方向を示している。
図２に示すように、筒状流路部３２は、ユニット１０の横方向に互いに間隔をあけて複数配列されている。
【００２２】
本実施形態において、第二方向に延びるノズル部３１の延長方向の先端部は、表示装置２の前側の面を覆うように位置する。ただし、ノズル部３１の先端部は、前側の面のうち表示面１１の縁に位置するベゼル１２のみを覆うように位置し、表示面１１を覆わない。
【００２３】
本実施形態において、第一の流れ方向変更部４は、表示装置２と別個に構成され、表示装置２に対してねじ止めや接着等によって取り付けられる。なお、第一の流れ方向変更部４は、例えば表示装置２と一体に設けられてもよい。第一の流れ方向変更部４は、例えば表示装置２のベゼル１２に一体に形成されてもよい。
【００２４】
図２〜４に示すように、第二の流れ方向変更部５は、複数の表示装置２の一方の配列方向の第二端に設けられる。本実施形態において、第二の流れ方向変更部５は、ユニット１０の縦方向の下端に設けられている。
第二の流れ方向変更部５は、表示面１１に沿って一方の配列方向に流れる空気の流れ方向を、表示装置２の前後方向に変更する。本実施形態において、第二の流れ方向変更部５は、表示面１１に沿ってユニット１０の縦方向に流れる空気の流れ方向を、前後方向に変更する。具体的に、第二の流れ方向変更部５は、流れ発生部３による第二方向（Ｚ軸負方向）への空気の流れを、ユニット１０の下端において表示装置２の前側から後側に向かう第三方向（Ｙ軸負方向）に変更する。図３，４における符号Ｄ３は、第二の流れ方向変更部５によって変えられる空気の流れ方向を示している。
【００２５】
本実施形態の第二の流れ方向変更部５は、表示面１１から突出するように第一方向（Ｙ軸正方向）に延びるにしたがって表示面１１に沿って第一の流れ方向変更部４に近づくように湾曲した内面５ａを有する。図示例の第二の流れ方向変更部５は、内面５ａの形状に対応する湾曲した板状に形成されているが、これに限ることはない。
第二の流れ方向変更部５は、第一の流れ方向変更部４と同様に、複数の表示装置２からなるユニット１０の横方向の一端から他端まで設けられている。
【００２６】
図３，４に示すように、本実施形態のマルチディスプレイシステム１は、表示面１１に沿って流れる空気と共に流れるホコリを回収する回収部６をさらに備える。回収部６は、表示面１１に沿って流れる空気の流れ方向の下流側に設けられる。本実施形態では、空気が表示面１１に沿ってユニット１０の上端から下端に向けて流れるため、回収部６はユニット１０の下端に設けられる。
本実施形態の回収部６は、上方に開口する回収箱である。回収箱は、前述した第二の流れ方向変更部５よりも表示装置２の後側に配される。空気の流れによって第二の流れ方向変更部５を通り過ぎたホコリは、自重によって回収箱に収容される。なお、回収部６は、例えば流れる空気を通過させながらホコリを捕捉するフィルタであってもよい。
【００２７】
本実施形態のマルチディスプレイシステム１は、イオン発生部７をさらに備える。イオン発生部７は、これを通過する空気の粒子をイオン化する。イオン発生部７は、表示面１１側に導入される空気の導入部分に設けられる。
本実施形態において、イオン発生部７は、流れ発生部３によって空気が第一方向に流れる位置、すなわち、ユニット１０の縦方向の上端、及び、縦方向において互いに隣り合う表示装置２の間に設けられる。また、本実施形態のイオン発生部７は、流れ発生部３をなす各ファン２１に対して第一方向に隣り合う位置にそれぞれ設けられる。
【００２８】
図５に示すように、本実施形態のマルチディスプレイシステム１は、表示面１１の状況に応じてファン２１（流れ発生部３）の動作を制御する制御部８を備える。表示面１１の状況には、表示面１１の温度や、映像信号の輝度などがある。この場合、マルチディスプレイシステム１は、温度センサ４１や映像信号処理部４２を備えるとよい。
【００２９】
温度センサ４１は、表示面１１の温度を測定する。制御部８は、温度センサ４１から表示面１１の温度を取得し、取得された温度に基づいてファン２１の動作を制御する。
映像信号処理部４２は、各表示装置２に内蔵され、映像信号を表示面１１に表示するための処理を行う。制御部８は、映像信号処理部４２から映像信号の輝度を取得し、取得された輝度に基づいてファン２１の動作を制御する。
制御部８や温度センサ４１は、例えば表示装置２に内蔵されてもよいし、表示装置２とは別個に設けられてもよい。
【００３０】
制御部８は、表示面１１の温度が上昇して高くなった場合、また、映像信号の輝度が上昇して高くなった場合に、ファン２１の回転数を上げて、表示面１１に沿う空気の流れを強める。また、制御部８は、表示面１１の温度が下降して低くなった場合、また、映像信号の輝度が下降して低くなった場合に、ファン２１の回転数を下げて、表示面１１に沿う空気の流れを弱めるあるいは停止する。制御部８は、温度センサ４１から出力される温度、映像信号処理部４２から出力される輝度のうち一方又は両方を参照して、ファン２１の動作を制御してよい。
【００３１】
また、制御部８は、例えば映像信号を表示面１１に表示する時間が長くなった場合に、制御部８はファン２１の回転数を上げて、表示面１１に沿う空気の流れを強めてもよい。
また、制御部８は、時間帯に応じてファン２１の駆動状態を切り替えてもよい。例えば、制御部８は、昼間などの時間帯においてファン２１を停止させ、夜中の時間帯にファン２１を駆動してもよい。
【００３２】
次に、本実施形態に係る気流制御方法について説明する。
本実施形態の気流制御方法は、上記した本実施形態のマルチディスプレイシステム１において、表示装置２の表示面１１に沿う方向に空気を流す方法である。気流制御方法では、少なくとも複数の表示装置２の一方の配列方向の第一端において表示装置２の前後方向に空気を流すと共に、当該前後方向への空気の流れ方向を表示装置２の表示面１１に沿う一方の配列方向に変更する。本実施形態の気流制御方法では、複数の表示装置２の一方の配列方向において互いに隣り合う表示装置２の間においても、表示装置２の前後方向に空気を流し、当該前後方向への空気の流れ方向を表示装置２の表示面１１に沿う一方の配列方向に変更する。
【００３３】
本実施形態では、流れ発生部３によってユニット１０の縦方向の上端、及び、縦方向において互いに隣り合う表示装置２の間において、表示装置２の後側から前側に向かう第一方向（Ｙ軸正方向）に空気を流す。また、各第一の流れ方向変更部４によって第一方向への流れ方向を、表示面１１に沿ってユニット１０の上端から下端に向かう第二方向（Ｚ軸負方向）に変更する。これにより、空気が表示面１１に沿ってユニット１０の上端から下端に向けて流れる。
【００３４】
ここで、本実施形態の各第一の流れ方向変更部４は、図３，４に示すように、ノズル部３１及び筒状流路部３２を備える。このため、流れ発生部３によって第一方向に流れる空気が、ノズル部３１の流路において加速された上で、ノズル部３１の先端の開口から第二方向に向けて吹き出す。これにより、流れ発生部３によって生じる空気の流れ（流速や流量）が弱くても、ノズル部３１の先端の開口から第二方向に向けて吹き出す空気の流速を向上できる。
【００３５】
また、ノズル部３１から吹き出す空気の流れ（符号Ｄ２で示す流れ）によって、第一方向におけるノズル部３１の先端の開口の両側の領域において第二方向への空気の流れが誘起される。このため、流れ発生部３によって生じる空気の流れ（流速や流量）が弱くても、表示面１１に沿う第二方向に流れる空気の流量を確保できる。
なお、図３，４における符号Ｄ５は、ノズル部３１の先端の開口よりも表示面１１から離れた領域において誘起される空気の流れを示している。
【００３６】
ノズル部３１のうち第一方向においてノズル部３１の先端の開口よりも表示面１１に近い領域においては、ノズル部３１から吹き出す空気の流れによって、筒状流路部３２を第二方向に貫通する空気の流れ（符号Ｄ４で示す流れ）が誘起される。これにより、第一方向においてノズル部３１の先端の開口よりも表示面１１に近い領域において、第二方向への空気の流れ（流速や流量）を確保することができる。
【００３７】
また、ノズル部３１の先端の開口から吹き出す空気の流れ（符号Ｄ２で示す流れ）や、ノズル部３１の先端の開口よりも表示面１１から離れた領域において生じる空気の流れ（符号Ｄ５で示す流れ）によって、筒状流路部３２を第二方向に通過した空気の流れが乱れる（例えば表示面１１から離れる方向に流れる）ことも抑制できる。これにより、ノズル部３１の先端の開口よりも表示面１１に近い領域において、空気を第二方向に安定にかつより遠くまで流すことができる。
【００３８】
また、本実施形態では、ノズル部３１及び筒状流路部３２を備える第一の流れ方向変更部４が、ユニット１０の縦方向において互いに隣り合う表示装置２の間にも設けられている。このため、上流側に位置する第一の流れ方向変更部４によって第二方向に向かう空気の流れの一部を、下流側に位置する第一の流れ方向変更部４の筒状流路部３２に通すことができる。
また、下流側の第一の流れ方向変更部４において、第一方向と逆側に向く外面３１ａ（ノズル部３１の外面３１ａ）は、表示面１１から突出するように第一方向に延びるにしたがって第二方向に向かうように滑らかに湾曲して形成されている。このため、上流側の第一の流れ方向変更部４によって第二方向に向かう空気の流れの一部は、下流側の第一の流れ方向変更部４の外面３１ａに妨げられることなく、当該外面３１ａに沿って流すことができる。図３，４における符号Ｄ６は、下流側の第一の流れ方向変更部４の外面３１ａに沿う空気の流れ方向を示している。
以上のことから、第二方向における空気の流れが、下流側の第一の流れ方向変更部４によって阻害されることを抑制できる。
【００３９】
また、表示装置２の間に設けられた下流側の第一の流れ方向変更部４では、その筒状流路部３２に通る空気の流れ、また、当該第一の流れ方向変更部４の外面３１ａに沿う空気の流れを、ノズル部３１の先端の開口から吹き出す空気の流れによって再加速できる。このため、第二方向への空気の流れの長距離化を図ることができる。したがって、ユニット１０の下端の近くに位置する表示装置２の表示面１１において空気の流れが弱くなることをより効果的に抑制することができる。
【００４０】
そして、複数の第一の流れ方向変更部４によって表示面１１に沿って第二方向に流れる空気の流れは、ユニット１０の下端に配された第二の流れ方向変更部５によって、ユニット１０の下端において表示装置２の前側から後側に向かう第三方向（Ｙ軸負方向）への流れに変更される。
【００４１】
以上説明したように、本実施形態のマルチディスプレイシステム１及び当該マルチディスプレイシステム１における気流制御方法によれば、流れ発生部３によって、少なくともユニット１０の縦方向の上端において、空気を表示装置２の前後方向（Ｙ軸方向）に流す。また、第一の流れ方向変更部４によって、前後方向への空気の流れ方向を、表示面１１に沿ってユニット１０の縦方向（Ｚ軸方向）に変更する。これにより、空気を表示装置２の平坦な表示面１１に沿って流すことができる。表示面１１に沿って空気が流れることで、ホコリが表示面１１に付着することを抑制したり、表示面１１に付着したホコリを表示面１１から除去したりすることができる。すなわち、表示面１１に対するホコリの付着を抑制できる。
【００４２】
また、本実施形態のマルチディスプレイシステム１によれば、流れ発生部３は、ユニット１０の縦方向において互いに隣り合う表示装置２の間においても、表示装置２の前後方向（Ｙ軸方向）に流す。また、第一の流れ方向変更部４は、縦方向において互いに隣り合う表示装置２の間にも設けられる。このため、ユニット１０の縦方向の下端の近くに位置する表示装置２の表示面１１において、当該表示面１１に沿う空気の流れが弱く（例えば空気の流速や風量が小さく）なることを抑制できる。これにより、ユニット１０の縦方向の下端の近くに位置する表示装置２の表示面１１にホコリが付着することを効果的に抑制できる。以下、この点について具体的に説明する。
【００４３】
例えば、空気が、ユニット１０の上端のみから表示面１１に沿って第二方向（Ｚ軸負方向）に流れる場合には、第二方向に流れる空気の流れが、ユニット１０の下端に近づくにしたがって弱くなる。このため、ユニット１０の下端の近くに位置する表示装置２の表示面１１にホコリが付着する可能性がある。
これに対し、空気が、ユニット１０の上端だけではなく、隣り合う表示装置２の間からも表示面１１に沿って第二方向に流れる場合には、ユニット１０の下端の近くに位置する表示装置２の表示面１１において空気の流れが弱くなることを抑制できる。これにより、ユニット１０の下端の近くに位置する表示装置２の表示面１１にホコリが付着することを好適に抑制できる。
【００４４】
また、本実施形態のマルチディスプレイシステム１によれば、流れ発生部３は、表示装置２の後側から前側に向かう第一方向（Ｙ軸正方向）に空気を流す。また、第一の流れ方向変更部４がノズル部３１及び筒状流路部３２を備える。このため、第一の流れ方向変更部４から第二方向に吹き出す空気の流速を向上できると共に、第二方向に流れる空気の流量も確保できる。また、ノズル部３１の先端の開口よりも表示面１１に近い領域において、空気を第二方向に安定にかつより遠くまで流すことができる。したがって、仮に流れ発生部３において生じる空気の流れが弱くても、ホコリが表示面１１に付着することを効果的に抑制できる。
【００４５】
また、本実施形態のマルチディスプレイシステム１では、ノズル部３１及び筒状流路部３２を備える第一の流れ方向変更部４が、ユニット１０の縦方向に配列された複数の表示装置２の間に設けられている。また、表示装置２の間に設けられた第一の流れ方向変更部４において、第一方向と逆側に向く外面３１ａが滑らかに湾曲する形状に形成されている。このため、第二方向において上流側に位置する第一の流れ方向変更部４による第二方向への空気の流れが、下流側に位置する第一の流れ方向変更部４によって阻害されることを抑制できる。したがって、流れ発生部３によって生じる空気流れのエネルギーを、無駄なく、表示面１１へのホコリ付着抑制に有効に活用することができる。
【００４６】
また、ノズル部３１及び筒状流路部３２を備える第一の流れ方向変更部４が、ユニット１０の縦方向に配列された複数の表示装置２の間に設けられていることで、第二方向への空気の流れの長距離化を図ることができる。これにより、ユニット１０の下端の近くに位置する表示装置２の表示面１１において空気の流れが弱くなることを抑制できる。したがって、ユニット１０の下端の近くに位置する表示装置２の表示面１１にホコリが付着することを好適に抑制できる。
【００４７】
また、本実施形態のマルチディスプレイシステム１によれば、流れ発生部３及び第一の流れ方向変更部４によって空気が表示面１１に沿って流れる方向は、鉛直方向の上側から下側に向かう方向である。このため、表示面１１に沿って空気と共に流れるホコリは、鉛直方向の下側に流れる。これにより、当該ホコリがマルチディスプレイシステム１の周囲に撒き散らされることを抑制できる。
【００４８】
また、本実施形態のマルチディスプレイシステム１は、ユニット１０の縦方向の下端に設けられ、表示面１１に沿ってユニット１０の縦方向に流れる空気の流れ方向を、表示装置２の前後方向に変更する第二の流れ方向変更部５を備える。これにより、表示面１１に沿う空気の流れを整えることができる。なお、流れ発生部３が、ユニット１０の下端において表示装置２の前側から後側に向かう第三方向（Ｙ軸負方向）に流す場合には、表示面１１に沿う空気の流れをより効果的に整えることができる。
また、本実施形態の第二の流れ方向変更部５は、表示面１１に沿ってユニット１０の下端に向かう空気の流れ方向を第三方向に変更する。このため、表示面１１に沿って空気と共に流れるホコリを表示装置２の後側に流すことができる。すなわち、表示装置２の前側においてホコリが撒き散らされることを効果的に抑制できる。
【００４９】
また、本実施形態のマルチディスプレイシステム１は、表示装置２の表示面１１の状況（例えば表示面１１の温度、表示面１１における映像信号の輝度）に応じて流れ発生部３の動作を制御する制御部８を備える。表示面１１の状況に応じて、制御部８が流れ発生部３の動作を制御することで、流れ発生部３による空気の流れの強弱を制御部８によって適切に調整することができる。
【００５０】
例えば、表示面１１の温度や輝度が高い場合、また、表示面１１における映像信号の表示時間が長くなった場合には、表示面１１の温度上昇に伴って表示面１１近傍に対流が生じる。これに対し、制御部８が流れ発生部３の動作を制御し、流れ発生部３によって表示面１１に沿う空気の流れを強めることで、表示面１１に沿う空気の流れが前述の対流によって乱されることを抑制できる。これにより、表示面１１に対するホコリの付着を好適に抑制できる。
一方、表示面１１の温度や輝度が低い場合、また、表示面１１における映像信号の表示時間が短い場合には、前述の対流が生じないあるいは弱い。これに対し、制御部８が流れ発生部３の動作を制御し、流れ発生部３によって表示面１１に沿う空気の流れを弱めるあるいは停止することで、流れ発生部３や空気の流れに基づく騒音の低減を図ることができる。
【００５１】
また、本実施形態のマルチディスプレイシステム１は、表示面１１に沿って流れる空気の流れ方向の下流側に設けられ、表示面１１に沿って空気と共に流れるホコリを回収する回収部６を備える。回収部６においてホコリを回収することで、ホコリがマルチディスプレイシステム１の周囲に撒き散らされることを抑制できる。
【００５２】
また、本実施形態のマルチディスプレイシステム１によれば、表示面１１側に導入される空気の導入部分に、イオン発生部７が設けられている。イオン発生部７によってイオン化した空気の粒子が、表示面１１に沿って流れることにより、静電気に基づく表示面１１へのホコリの定着を抑制することができる。また、イオン化した空気の粒子によるウィルスの除去効果も期待できるため、インフルエンザ等の病気の予防も図ることができる。
【００５３】
本実施形態のマルチディスプレイシステム１において、第一の流れ方向変更部４や第二の流れ方向変更部５など、表示面１１へのホコリの付着を抑制するための構成が、表示装置２と別個に構成され、表示装置２に取り付けられる場合には、表示面１１へのホコリの付着抑制機能を持たないマルチディスプレイシステム１に、当該機能を新たに付加することができる。
【００５４】
以上、本発明に係るマルチディスプレイシステム及び当該マルチディスプレイシステム１における気流制御方法の一実施形態について説明したが、本発明は上記の実施形態に限定されるものではなく、その趣旨を逸脱しない範囲において適宜変更可能である。
【００５５】
本発明のマルチディスプレイシステムにおいて、第一の流れ方向変更部４を構成するノズル部３１は、例えばユニット１０の横方向に互いに間隔をあけて複数配列されてもよい。この場合、第一の流れ方向変更部４は筒状流路部３２を備えなくてもよい。このような構成では、複数のノズル部３１の先端の開口から吹き出す空気の流れによって、複数のノズル部３１の間において第二方向に通る空気の流れが誘起される。これにより、第一方向においてノズル部３１の先端の開口よりも表示面１１に近い領域において、第二方向への空気の流れ（流速や流量）を確保することができる。
【００５６】
本発明のマルチディスプレイシステムにおいて、第一の流れ方向変更部４は、少なくとも空気の流れ方向を表示装置２の前後方向と表示面１１に沿う方向（一方の配列方向）との間で変更するように構成されていればよい。
第一の流れ方向変更部４は、例えば図６に示すように、表示面１１から突出するように第一方向（Ｙ軸正方向）に延びるにしたがって表示面１１に沿う方向（Ｚ軸負方向）に向かうように湾曲した内面を有していればよい。また、第一の流れ方向変更部４は、上記した内面のように湾曲した板状に形成されてもよい。
【００５７】
本発明のマルチディスプレイシステムは、図６に例示するように、少なくとも、複数の表示装置２、これらの一方の配列方向の第一端（図示例では上端）において空気を表示装置２の前後方向に流す流れ発生部３、及び、一方の配列方向の第一端に設けられた第一の流れ方向変更部４を備えればよい。
【００５８】
本発明のマルチディスプレイシステムにおいて、流れ発生部３は、例えば空気を圧縮するコンプレッサー及びコンプレッサーによって圧縮された空気を貯留する空気貯留部によって構成されてもよい。流れ発生部３がコンプレッサー及び空気貯留部によって構成される場合には、流れ発生部３がファン２１によって構成される場合と比較して、より強力な空気の流れを生じさせることができる。これにより、表示面１１に付着したホコリをより確実に表示面１１から除去できる。例えば、流れ発生部３を上記実施形態の制御部８によって間欠的に動作させるだけでも、ホコリを表示面１１から除去することができる。
また、流れ発生部３は、表示装置２と別個に設けられることに限らず、例えば表示装置２に内蔵されてもよい。流れ発生部３は、例えば表示装置２の内部を冷却するためのファンであってもよい。
【００５９】
本発明のマルチディスプレイシステムにおいて、流れ発生部３が空気を流す方向は、例えば表示装置２の前側から後側に向かう方向（すなわち第一方向とは逆の方向）であってもよい。すなわち、流れ発生部３は、表示装置２の前後方向において表示面１１側から空気を吸引してもよい。この場合、空気は表示面１１に沿って第一の流れ方向変更部４に向けて流れ、第一の流れ方向変更部４によって、表示面１１に沿う空気の流れが表示装置２の前側から後側に向かう方向に変更される。
【００６０】
本発明のマルチディスプレイシステムにおいて、流れ発生部３は、例えばユニット１０の縦方向の下端において表示装置２の前後方向に空気を流してもよい。この場合、第一の流れ方向変更部４は、ユニット１０の縦方向の下端に設けられればよい。このような構成において、表示面１１に沿って鉛直方向の上側から下側に向けて空気を流すためには、流れ発生部３は、表示装置２の前側から後側に向かう方向（Ｙ軸負方向）に空気を流すとよい。また、第二の流れ方向変更部５は、例えばユニット１０の縦方向の上端に設けられてよい。
【００６１】
本発明のマルチディスプレイシステム１において、流れ発生部３は、例えば横方向の左端又は右端において表示装置２の前後方向に空気を流してもよい。この場合、流れ発生部３は、ユニット１０の横方向において互いに隣り合う表示装置２の間においても表示装置２の前後方向に空気を流してもよい。
【００６２】
表示面へのホコリの付着を抑制する本発明の構成は、マルチディスプレイシステムに限らず、例えば単体の表示装置にも適用可能である。図７に例示する表示装置１Ａは、表示装置本体２Ａと、流れ発生部３Ａと、第一の流れ方向変更部４Ａと、を備える。
表示装置本体２Ａは、マルチディスプレイシステムの表示装置２と同様であり、前側に平坦な表示面１１を有する。
流れ発生部３Ａは、マルチディスプレイシステムの流れ発生部３と同様であり、表示面１１に沿う一方向（図７においてＺ軸方向）における表示装置本体２Ａの第一端（図７において上端）において、表示装置本体２Ａの前後方向（図７においてＹ軸方向）に空気を流す。
【００６３】
第一の流れ方向変更部４Ａは、マルチディスプレイシステムの第一の流れ方向変更部４と同様であり、表示装置本体２Ａの第一端に設けられる。第一の流れ方向変更部４Ａは、は、流れ発生部３Ａによる前後方向への空気の流れ方向を、表示面１１に沿う一方向（Ｚ軸方向）に変更する。
図７に例示した表示装置１Ａによれば、上記実施形態と同様の効果を奏する。
【００６４】
表示装置１Ａにおける流れ発生部３Ａ、第一の流れ方向変更部４Ａの具体的な構成や配置などは、マルチディスプレイシステムと同様であってよい。また、表示装置１Ａは、マルチディスプレイシステムの他の構成（例えば第二の流れ方向変更部５や制御部８など）を備えてよい。
【００６５】
ホコリの付着を抑制する本発明の構成は、マルチディスプレイシステムや表示装置に適用されることに限らず、例えばプロジェクタに適用されてもよい。すなわち、本発明の構成は、プロジェクタのレンズ面にホコリが付着することを抑制するように設けられてもよい。
【符号の説明】
【００６６】
１  マルチディスプレイシステム
１Ａ  表示装置
２  表示装置
２Ａ  表示装置本体
３，３Ａ  流れ発生部
４，４Ａ  第一の流れ方向変更部
５  第二の流れ方向変更部
６  回収部
７  イオン発生部
８  制御部
１１  表示面
３１  ノズル部
３２  筒状流路部
【図１】
2020134591.tif 000003
【図２】
2020134591.tif 000004
【図３】
2020134591.tif 000005
【図４】
2020134591.tif 000006
【図５】
2020134591.tif 000007
【図６】
2020134591.tif 000008
【図７】
2020134591.tif 000009